(57)【要約】【課題】被験者の手の指先の毛細血管の血流を観察しようとする部位に顕微鏡を簡単に位置合わせすることができ、しかも観察時の指のぶれを抑制することができ、顕微鏡のピントを合わせるだけで容易に指先の毛細血管の血流を観察することができる指先毛細血管血流観察顕微鏡を提供する。【解決手段】指先毛細血管血流観察顕微鏡は、基台１０、この基台１０上に昇降自在に取り付けられた顕微鏡本体２０、基台１０上に着脱自在に取り付けられ、または、基台１０に固定された、被験者の手の指をこの指に垂直でかつ基台１０に平行な方向に拘束された状態で置く指置き台５０、６１ｆ、および、顕微鏡本体２０の先端部の外側に着脱自在に取り付けられ、または、先端部の外側に固定された、指の爪の甘皮の近傍を押圧する指押圧板を有する。指押圧板は顕微鏡本体２０の先端部に取り付けられる位置決め部材７０の下部に設けられている。【選択図】図１
2020204746.tif 000002
【特許請求の範囲】
【請求項１】
基台と、
上記基台上に上記基台に対して昇降自在に取り付けられた顕微鏡本体と、
上記基台上に着脱自在に取り付けられ、または、上記基台に固定された、被験者の手の指を当該指に垂直でかつ上記基台に平行な方向に拘束された状態で置く指置き台と、
上記顕微鏡本体の先端部に着脱自在に取り付けられ、または、上記先端部に固定された、上記指の爪の甘皮の近傍を押圧する指押圧板と、
を有する指先毛細血管血流観察顕微鏡。
【請求項２】
上記指置き台は、主として上記指の中節骨および基節骨の部分を置く第１指置き台および上記指の末節骨の部分を置く第２指置き台からなる請求項１記載の指先毛細血管血流観察顕微鏡。
【請求項３】
上記第１指置き台の指を置く部分の最下点が上記第２指置き台の指を置く部分の最下点より２ｍｍ以上４ｍｍ以下高い請求項１または２記載の指先毛細血管血流観察顕微鏡。
【請求項４】
上記基台上に、上記顕微鏡本体の昇降に伴う上記指押圧板の昇降の際に上記指押圧板を案内する案内部材が着脱自在に取り付けられ、または、固定されている請求項１〜３のいずれか一項記載の指先毛細血管血流観察顕微鏡。
【請求項５】
上記第２指置き台と上記案内部材とは一体に構成されている請求項４記載の指先毛細血管血流観察顕微鏡。
【請求項６】
上記指押圧板は、上記顕微鏡本体の先端に着脱自在に取り付けられ、または、上記顕微鏡本体の先端に固定された位置決め部材に設けられている請求項１〜５のいずれか一項記載の指先毛細血管血流観察顕微鏡。
【請求項７】
上記指押圧板の先端が上記指の爪の甘皮に引っ掛った状態において、上記顕微鏡本体の光軸が上記指の爪の甘皮に隣接する爪根部に合うように構成されている請求項１〜６のいずれか一項記載の指先毛細血管血流観察顕微鏡。
【請求項８】
上記指押圧板と上記顕微鏡本体の光軸との間の距離が１．０ｍｍ以上２．０ｍｍ以下である請求項７記載の指先毛細血管血流観察顕微鏡。
【請求項９】
上記位置決め部材は上記顕微鏡本体の先端に嵌められる円筒部ならびにこの円筒部の側面にこの円筒部の中心軸に平行に設けられた上記指押圧板および羽部を有する請求項６記載の指先毛細血管血流観察顕微鏡。
【請求項１０】
上記位置決め部材の上記円筒部の上記基台側の部分の内部に上記円筒部の中心軸上に円形の穴を有する透明な仕切り板が設けられている請求項９記載の指先毛細血管血流観察顕微鏡。
【請求項１１】
上記仕切り板は照明光源からの照明光を散乱する散乱体を含有する請求項１０記載の指先毛細血管血流観察顕微鏡。
【発明の詳細な説明】
【技術分野】
【０００１】
この発明は、指先毛細血管血流観察顕微鏡に関し、特に、手の指先の毛細血管の血流を観察するのに用いて好適なものである。
【背景技術】
【０００２】
従来、手の指先などの毛細血管の血流を観察する装置として血流観察用デジタルマイクロスコープが知られており、市販されている（非特許文献１参照。）。この血流観察用デジタルマイクロスコープは、顕微鏡（マイクロスコープ）とモニター（ディスプレイ）とを組み合わせたものである。この血流観察用デジタルマイクロスコープにより手の指先の毛細血管の血流を観察する方法は次の通りである。すなわち、まず、顕微鏡の直下の観察台に設けられた指置きに利き手の反対側の手の薬指を置く。薬指には事前に乱反射防止用オイルを塗布しておく。指置きには指の形状に合わせてＵ字形の溝が形成されている。そして、指置きに指を置いた状態で、顕微鏡の先端を左右前後に移動し、かつ被験者の指も動かしながら指の爪の甘皮の直ぐ後方の部分の表面に接近させる。その後、モニターを見ながら顕微鏡の鏡筒に取り付けられたピント調節ねじと被験者の指移動で皮膚直下の毛細血管の映像が出るように位置とピントを調節する。
【先行技術文献】
【非特許文献】
【０００３】
【非特許文献１】［平成３１年３月１日検索］、インターネット〈ＵＲＬ：http://www.gokocamera.com/ev/bscan-z.php〉
【発明の概要】
【発明が解決しようとする課題】
【０００４】
非特許文献１に記載された血流観察用デジタルマイクロスコープでは、血流を鮮明に観察することができるのは、爪の甘皮からコンマ数ミリ以内の爪根部の表皮であるため、そこに顕微鏡を位置合わせすることが重要である。しかしながら、指サイズや爪サイズの個人差が大きく、かつ観察時には指置きに指を置くだけであるため、初期位置合わせやピント合わせだけでも大変である。しかも、観察中に呼吸などにより体がぶれるため観察対象の指も上下左右に移動してしまうことからその都度位置合わせやピント合わせが必要となることにより、毛細血管の血流を鮮明に観察するためには操作に熟練が必要であった。
【０００５】
そこで、この発明が解決しようとする課題は、被験者の手の指先の毛細血管の血流を観察しようとする部位に顕微鏡を簡単に位置合わせすることができ、しかも観察時の指のぶれを抑制することができ、顕微鏡のピントを合わせるだけで容易に指先の毛細血管の血流を観察することができる指先毛細血管血流観察顕微鏡を提供することである。
【課題を解決するための手段】
【０００６】
上記課題を解決するために、この発明は、
基台と、
上記基台上に上記基台に対して昇降自在に取り付けられた顕微鏡本体と、
上記基台上に着脱自在に取り付けられ、または、上記基台に固定された、被験者の手の指を当該指に垂直でかつ上記基台に平行な方向に拘束された状態で置く指置き台と、
上記顕微鏡本体の先端部に着脱自在に取り付けられ、または、上記先端部に固定された、上記指の爪の甘皮の近傍を押圧する指押圧板と、
を有する指先毛細血管血流観察顕微鏡である。
【０００７】
顕微鏡本体を基台に対して昇降自在にするための昇降機構は、典型的には手で操作することが可能に構成される。昇降機構は、従来公知のものを用いることができ、必要に応じて選ばれるが、例えば、基台に対して回転自在に設けられた筒状部材を手で回すことにより筒状部材の内部に設けられた軸を筒状部材に対して昇降させる機構や、基台に垂直に固定された支柱の側面にラックを設け、顕微鏡本体の保持部材にこの保持部材に対して回転可能に取り付けたピニオンを支柱に設けられたラックと噛み合わせ、ピニオンの回転軸の一端または両端に取り付けられた回転つまみを回転させてピニオンを回転させることにより保持部材をラックに対して移動させ、それによって保持部材を支柱に対して昇降させる機構などである。
【０００８】
指置き台は、例えば、主として指の中節骨および基節骨の部分の全部または一部を置く第１指置き台および指の末節骨の部分の全部または一部を置く第２指置き台からなる。これらの第１指置き台および第２指置き台は別体に形成してもよいし、一体に形成してもよい。好適には、第１指置き台の指を置く部分の最下点が、第２指置き台の指を置く部分の最下点より少し高く、例えば４ｍｍ以下、典型的には２．５ｍｍ以上３．５ｍｍ以下高くなるようにする。こうすることで、第１指置き台および第２指置き台の上に指を置いた時、第２指置き台の上に置かれる指の末節骨の部分が、末節骨と中節骨との間の関節で中節骨の部分に対して下側に少し屈曲するため、指押圧板を下降させて指の爪の甘皮の前方で爪の表面を軽く押圧した状態で、第１指置き台および第２指置き台の上に置いた指を前方にゆっくり移動させたとき、指押圧板の下端が甘皮に当たって引っ掛かる。そこで、この時点で指押圧板を少し下降させて指の爪の甘皮の近傍を押圧する。これによって、第１指置き台および第２指置き台と指押圧板との間に指が挟まれた状態となり、指を基台に平行な方向に加えて指に垂直な方向にも拘束することができる。こうして、観察中の指のぶれを抑制することができることにより、爪の甘皮の近傍の爪根部の表皮に顕微鏡のピント合わせを行いやすくなり、それによって毛細血管の血流が観察しやすくなる。
【０００９】
指押圧板は、指置き台の上に被験者の手の指を置いた状態で顕微鏡本体を基台に向かって下降させたとき、指の爪を指に直交する方向に横断するようにその位置が決められる。そして、指押圧板が指の爪の甘皮の近傍を軽く押圧した状態で指を前方に少し移動させると、指押圧板が甘皮で引っ掛かる。この状態で顕微鏡本体の位置を固定する。このとき、指押圧板と顕微鏡本体の光軸との間の距離を予め定めておくことで、爪の甘皮の近傍の爪根部の表皮の直上に顕微鏡本体を位置させることができる。すなわち、指押圧板の先端が甘皮に引っ掛った状態において、顕微鏡本体の光軸を指の爪の甘皮に隣接する爪根部に合わせることができる。このため、甘皮の近傍の爪根部の表皮に顕微鏡のピントを合わせることにより、毛細血管の血流を観察することができる。指押圧板と顕微鏡本体の光軸との間の距離は、例えば１．０ｍｍ以上２．０ｍｍ以下である。好適には、指押圧板は、顕微鏡本体の先端部に着脱自在に取り付けられ、または、顕微鏡本体の先端部に固定された位置決め部材の下部に設けられる。この位置決め部材は、例えば、顕微鏡本体の先端部に嵌められる円筒部、この円筒部の下部にこの円筒部の中心軸に平行に設けられた指押圧板およびこの円筒部の側面にこの円筒部の中心軸に平行に設けられた羽部を有する。好適には、位置決め部材の円筒部の基台側の部分の内部に円筒部の中心軸上に円形の穴を有する透明な仕切り板が設けられる。この仕切り板は、好適には、照明光源からの照明光を散乱する散乱体を含有する。こうすることで、指の表皮による照明光の反射を抑制することができ、毛細血管の血流が観察しやすくなる。
【００１０】
典型的には、顕微鏡本体の昇降に伴う指押圧板の昇降の際に指押圧板を案内する案内部材が基台上に着脱自在に取り付けられ、あるいは基台に固定される。この案内部材により、顕微鏡本体、従って指押圧板の昇降を安定して行うことができる。案内部材は、典型的には、指押圧板の両端部、あるいはこの指押圧板と一体に羽部が設けられる場合はこの羽部の両端部が嵌まる上下方向の案内溝を有し、この案内溝に沿って指押圧板または羽部の両端部が滑ることで顕微鏡のぶれを極力抑えて昇降自在となっている。第２指置き台とこの案内部材とは一体に形成してもよいし、別体に形成してもよい。第２指置き台と案内部材とを一体に形成する場合、典型的には、これらの第２指置き台および案内部材は、基台上にある第２指置き台に対して案内部材が基台に垂直に延在し、基台に平行な方向から見た場合、全体としてＬ字状の形状を有する。
【００１１】
顕微鏡本体は、基台に臨む側に設けられた対物レンズを含む結像光学系を有する。顕微鏡本体は、対物レンズと接眼レンズとを備える一般的な光学顕微鏡の鏡筒と同様のものであってもよいが、好適には、対物レンズがファイバー束の一方の端面に取り付けられ、他方の端面に撮像素子が設けられたファイバースコープが用いられる。照明光学系は対物レンズの下方を照明することができる限り、顕微鏡本体に一体に設けてもよいし、顕微鏡本体とは別に設けてもよく、必要に応じて選ばれる。照明光学系を顕微鏡本体に一体に設ける場合、例えば、顕微鏡本体の光軸の周りに対物レンズを取り囲むように複数の発光ダイオードが設けられる。特に、顕微鏡本体がファイバースコープである場合は、顕微鏡本体の対物レンズにより結像した像が撮像素子により撮像され、この撮像素子により取得された画像がこの撮像素子の出力端に接続されたケーブルを介して外部のディスプレイやスマートフォンのディスプレイに送られて画像を表示することができる。
【発明の効果】
【００１２】
この発明によれば、被験者が手の指を指置き台に置き、顕微鏡本体を基台側に近づけ、指押圧板によりこの指押圧板の先端が指の爪の甘皮に引っ掛った状態で甘皮の近傍を押圧することにより、指をこの指に垂直でかつ基台に平行な方向に拘束することができるため、観察中の指のぶれを抑制することができ、この状態で顕微鏡本体の対物レンズのピントを指の爪の甘皮の近傍の爪根部の表皮に合わせることにより、指先の毛細血管を鮮明に観察することができる。
【図面の簡単な説明】
【００１３】
【図１】第１の実施の形態による指先毛細血管血流観察顕微鏡を示す斜視図である。
【図２】第１の実施の形態による指先毛細血菅血流観察顕微鏡を示す正面図である。
【図３】第１の実施の形態による指先毛細血菅血流観察顕微鏡を示す平面図である。
【図４】第１の実施の形態による指先毛細血菅血流観察顕微鏡を示す左側面図である。
【図５】第１の実施の形態による指先毛細血菅血流観察顕微鏡を示す右側面図である。
【図６】第１の実施の形態による指先毛細血菅血流観察顕微鏡を構成する指置き台を示す平面図、正面図および右側面図である。
【図７】第１の実施の形態による指先毛細血菅血流観察顕微鏡を構成するＬ字部材を示す平面図、正面図および右側面図である。
【図８】第１の実施の形態による指先毛細血菅血流観察顕微鏡を構成する顕微鏡本体の先端部に取り付けられる位置決め部材を示す平面図、正面図および右側面図である。
【図９】第１の実施の形態による指先毛細血菅血流観察顕微鏡を構成する顕微鏡本体の先端部に取り付けられる位置決め部材の羽部をＬ字部材の羽部の案内溝に嵌める様子を示す斜視図および正面図である。
【図１０】第１の実施の形態による指先毛細血菅血流観察顕微鏡により指先の毛細血管の血流を観察する部位を示す略線図である。
【図１１】第１の実施の形態による指先毛細血菅血流観察顕微鏡において観察時に指を挿入する位置を示す斜視図である。
【図１２】第１の実施の形態による指先毛細血菅血流観察顕微鏡において観察時に指を挿入した状態を示す斜視図である。
【図１３】第１の実施の形態による指先毛細血菅血流観察顕微鏡を構成する顕微鏡本体の先端部に取り付けられる位置決め部材の指押圧板が指の先端の甘皮近傍を押圧している様子を示す略線図である。
【図１４】第２の実施の形態による指先毛細血管血流観察顕微鏡を示す斜視図である。
【図１５】第２の実施の形態による指先毛細血菅血流観察顕微鏡を示す正面図である。
【図１６】第２の実施の形態による指先毛細血菅血流観察顕微鏡を示す平面図である。
【発明を実施するための形態】
【００１４】
以下、発明を実施するための形態（以下「実施の形態」とする）について説明する。
【００１５】
〈第１の実施の形態〉
［指先毛細血管血流観察顕微鏡］
図１〜図５は第１の実施の形態による指先毛細血管血流観察顕微鏡を示し、図１は斜視図、図２は正面図、図３は平面図、図４は左側面図、図５は右側面図である。
【００１６】
図１〜図５に示すように、この指先毛細血管血流観察顕微鏡は、長方形の平板状の基台１０と、細長い円柱状の顕微鏡本体２０と、基台１０に対して顕微鏡本体２０を昇降させるための昇降具３０と、昇降具３０の上部に基台１０に平行に取り付けられた顕微鏡本体２０の保持用アーム４０と、指置き台５０と、顕微鏡本体２０を昇降させる際の案内や指置きなどに使用されるＬ字部材６０と、顕微鏡本体２０の先端部に着脱自在に取り付けられた位置決め部材７０とを有する。
【００１７】
基台１０は、この指先毛細血管血流観察顕微鏡を机などの上に安定して置くことができるようにある程度の重量および剛性を有する材質および大きさで構成されている。基台１０は、例えば、アルミニウム合金や鉄鋼材料などの金属からなる。基台１０の大きさは必要に応じて選ばれるが、例えば、長辺が１２ｃｍ以上１８ｃｍ以下、短辺が７ｃｍ以上１０ｃｍ以下である。
【００１８】
顕微鏡本体２０は、図示は省略するが、光軸上に設けられた対物レンズ、接眼レンズなどを含む結像光学系を備えた一般的な光学顕微鏡の鏡筒と同様なものであってもよいが、ここでは、ファイバースコープにより構成されているとする。ファイバースコープでは、ファイバー束の一端面に対物レンズが設けられ、ファイバー束の他端側に撮像素子が設けられる。撮像素子の出力端子はケーブルを介してコンピュータのディスプレイやスマートフォンのディスプレイに接続され、これらのディスプレイに画像を表示することができるようになっている。対物レンズは、顕微鏡本体２０の、基台１０に臨む先端部（底部）に設けられている。顕微鏡本体２０の先端部には、照明光学系として複数（例えば、８個）の発光ダイオードが光軸の周りの円周上に対物レンズを取り囲むように等間隔で取り付けられている。顕微鏡本体２０の上部には、焦点合わせ用の回転つまみ２１が設けられている。
【００１９】
昇降具３０は、基台１０の長手方向に平行な中心軸上の、基台１０の一端部に近い位置に設けられている。昇降具３０は、基台１０に垂直に立設された円筒３１と、この円筒３１の内部にこの円筒３１、従って基台１０に対して昇降可能に挿入された円筒状の昇降軸３２と、円筒３１の外側に円筒３１と同軸に設けられた円筒状のズームリング３３とを有する。円筒３１の上部にはズームリング３３が上下方向にずれないようにするためのストッパー３１ａが設けられている。ズームリング３３をその中心軸の周りに時計方向または反時計方向に回転させることにより、昇降軸３２が昇降することができるようになっている。昇降軸３２の昇降機構は従来公知のものを用いることができる。例えば、ズームリング３３の内面にめねじを切り、円筒３１の側面の、この円筒３１の中心軸に関して互いに対向する部分にこの円筒３１の中心軸方向に延びる一対のスリットを形成し、昇降軸３２の長手方向の所定位置にこの昇降軸３２の断面の一つの直径方向にこの昇降軸３２を貫通し、かつ上記のスリットを通してズームリング３３の内面のめねじの溝に入ることができる長さおよび太さのピンを取り付ける。こうすることで、ズームリング３３をその中心軸の周りに時計方向または反時計方向に回転させたとき、ズームリング３３の内面に形成されためねじの溝に上記のピンが入り込んでいることにより、ピンがズームリング３３に対して昇降し、昇降軸３２が昇降する。昇降軸３２のストロークは必要に応じて選ばれる。
【００２０】
昇降具３０の昇降軸３２の上端部はその下方の部分に比べて直径が少し小さくなっている。保持用アーム４０の一端部にはこの保持用アーム４０の中心軸を通る上下方向の軸を中心軸とする円筒部４１が設けられている。この円筒部４１の内径は昇降軸３２の上端部の直径より僅かに大きくなっており、この円筒部４１が昇降軸３２の上端部に嵌まっている。昇降軸３２の上端部の内面にはめねじ（図示せず）が切られている。そして、昇降軸３２のこのめねじに固定ねじ３４がねじ込まれることで保持用アーム４０が昇降軸３２に対して固定されている。保持用アーム４０の他端には円柱状の保持部４２が設けられ、この保持部４２にこの保持部４２を上下方向に貫通する貫通孔４２ａが設けられている。この貫通孔４２ａは顕微鏡本体２０の外径より少し大きくなっており、顕微鏡本体２０はこの貫通孔４２ａを通されている。この保持部４２の一端にはこの保持部４２の中心軸上に貫通孔４２ａに達する貫通孔（図示せず）が形成されており、この貫通孔の内周面にめねじが切られている。そして、保持部４２のこのめねじに固定ねじ４３がねじ込まれることで顕微鏡本体２０が保持部４２、従って保持用アーム４０に対して固定されている。
【００２１】
指置き台５０は、基台１０の長手方向の中心軸上の、Ｌ字部材６０に関して昇降具３０と反対側の部分に取り付けられている。指置き台５０は、基台１０に対して着脱自在に取り付けられてもよいし、基台１０に接着やねじ止めなどにより固定してもよい。指置き台５０は、被験者の指先の毛細血管の血流の観察時にその指を置くためのものである。図６Ａ、ＢおよびＣに指置き台５０を図１〜図５に比べて拡大して示す。ここで、図６Ａは平面図、図６Ｂは正面図、図６Ｃは右側面図である。図６Ａ、ＢおよびＣに示すように、指置き台５０は、全体として直方体の形状を有し、上面の中心軸上に被験者の手の指を置くＵ字状の溝５１を有する。溝５１の断面形状は上部が長方形、下部が円形である。溝５１の幅は、被験者の手の指、取り分け薬指の基節骨から中節骨に掛けての部分を収容することができ、かつ溝５１の幅方向に指を拘束することができる範囲内で必要に応じて選ばれるが、一般的には例えば１５ｍｍ以上２２ｍｍ以下、例えば２０ｍｍである。溝５１の底と指置き台５０の底面との間の間隔は、例えば４ｍｍ以上６ｍｍ以下、例えば５ｍｍである。指置き台５０の長さ、従って溝５１の長さは必要に応じて選ばれるが、一般的には例えば４０ｍｍ以上５０ｍｍ以下、例えば４８ｍｍである。指置き台５０の幅は必要に応じて選ばれるが、一般的には例えば４０ｍｍ以上５０ｍｍ以下、例えば４６ｍｍである。指置き台５０の二つの角部は丸く面取りされているが、必要に応じて、図６Ａ中一点鎖線で示すように、面取りしないでもよい。指置き台５０の材質は必要に応じて選ばれるが、好適には指をソフトに受け止めることができるようなある程度の柔軟性を有する材料、例えばシリコーン樹脂などが用いられる。
【００２２】
Ｌ字部材６０の詳細を図６Ａ、ＢおよびＣと同じ縮尺で図７Ａ、ＢおよびＣに示す。ここで、図７Ａは平面図、図７Ｂは正面図、図７Ｃは右側面図である。図７Ａ、ＢおよびＣに示すように、Ｌ字部材６０は、基台１０上に固定される水平部６１と、この水平部６１に対して基台１０に垂直方向に延在し、かつ互いに対向する一対の垂直部６２、６３とからなる。水平部６１は、長方形の平板の一つの長辺に長方形の凹部６１ａを有するコ字状の平面形状を有する。水平部６１は、長辺を二等分する直線に関し対称な形状を有する。水平部６１の長手方向の両端部６１ｂ、６１ｃにそれぞれ穴６１ｄ、６１ｅが設けられている。これらの穴６１ｄ、６１ｅに固定ねじ（図示せず）が通され、これらの穴６１ｄ、６１ｅに対応する部分の基台１０に形成されためねじにねじ込まれることにより水平部６１、従ってＬ字部材６０が基台１０に固定されている。垂直部６２、６３は、水平部６１の凹部６１ａと反対側の長辺の両端部にこの長辺に沿って設けられている。これらの垂直部６２、６３の、水平部６１の長辺方向の幅は水平部６１の両端部６１ｂ、６１ｃと同じ幅に設定される。水平部６１の、凹部６１ａが設けられた部分は指置き台６１ｆを構成する。垂直部６２、６３の互いに対向する側面には、垂直部６２、６３の上端面から垂直部６２、６３の途中の高さに亘って、それぞれ案内溝６２ａ、６３ａが形成されている。これらの案内溝６２ａ、６３ａには後述の位置決め部材７０の羽部７３の両端部が嵌められる。垂直部６２、６３にはさらに、その厚さ方向に、垂直部６２、６３の上端面から垂直部６２、６３の途中の高さに亘って、細長い長方形の案内溝６２ｂ、６３ｂが設けられている。これらの案内溝６２ｂ、６３ｂには、後述の位置決め部材７０の羽部７３のストッパー７４、７５が嵌められ、案内される。案内溝６２ｂ、６３ｂは、図１〜図５、後述の図９ＡおよびＢ、図１１、図１２ＡおよびＢならびに図１４〜図１６では図示を省略している。Ｌ字部材６０の材質は必要に応じて選ばれるが、例えば、プラスチック、アルミニウム合金や鉄鋼材料などの金属である。
【００２３】
位置決め部材７０の詳細を図６Ａ、ＢおよびＣならび図７Ａ、ＢおよびＣの２倍の縮尺で図８Ａ、ＢおよびＣに示す。ここで、図８Ａは正面図、図８Ｂは底面図、図８Ｃは右側面図である。図８Ａ、ＢおよびＣに示すように、位置決め部材７０は、顕微鏡本体２０の先端部側に容易に外れないように嵌められる円筒部７１、この円筒部７１の下面にこの円筒部７１の中心軸から距離Ｄだけ離れた位置にこの中心軸に平行にかつ円筒部７１に関して対称に設けられた指押圧板７２およびこの円筒部７１の側面にこの円筒部７１の中心軸に平行に設けられた薄い平板状の羽部７３を有する。羽部７３は、円筒部７１の中心軸に平行な長辺および円筒部７１の中心軸に垂直な短辺を有する長方形の形状を有する。指押圧板７２は、羽部７３の一方の面にこの羽部７３と一体に、かつ下端面を互いに一致させて設けられている。距離Ｄは、観察時に指の爪の甘皮に指押圧板７２の先端が引っ掛かった状態で顕微鏡本体２０の光軸が甘皮に隣接する爪根部の表皮に位置するように選択される。距離Ｄは、例えば、１．０ｍｍ以上２．０ｍｍ以下、あるいは１．２ｍｍ以上１．８ｍｍ以下、あるいは１．３ｍｍ以上１．６ｍｍ以下、例えば１．４ｍｍである。指押圧板７２の厚さは例えば１．２ｍｍ以上１．７ｍｍ以下、例えば１．５ｍｍである。羽部７３の厚さは、Ｌ字部材６０の垂直部６２、６３の案内溝６２ａ、６３ａに羽部７３の両端部が入って案内溝６２ａ、６３ａに沿って昇降可能とするために、案内溝６２ａ、６３ａの幅より僅かに小さく選ばれる。例えば、羽部７３の厚さは０．８ｍｍ、案内溝６２ａ、６３ａの幅は１ｍｍである。羽部７３の両端部のやや下部の両面にはそれぞれストッパー７４、７５が設けられている。これらのストッパー７４、７５は、垂直部６２、６３の案内溝６２ｂ、６３ｂに嵌められ、羽部７３の昇降の際に案内溝６２ｂ、６３ｂの内部で昇降する。羽部７３は、ストッパー７４、７５の下面が案内溝６２ｂ、６３ｂの下面に当たるところで停止する。必要に応じて、図８Ｃにおいて一点鎖線で示すように、指押圧板７２の先端部の角部を直線状に面取りしてもよい。ただし、指押圧板７２の先端部の角部を円弧などの曲線状に面取りしてもよい。こうすることで、指押圧板７２の先端を指の爪の甘皮に引っ掛ける時に甘皮や爪などが傷つくのを防止することができる。円筒部７１の下部の内部には、中心軸上に円形の穴７６ａを有する仕切り板７６が設けられている。仕切り板７６は、照明光源の発光ダイオードからの光を散乱することができるように構成され、例えば、微小な散乱体を含むプラスチックなどからなる。仕切り板７６の穴７６ａは、顕微鏡本体２０の中心軸の方向から見た時に、顕微鏡本体２０の先端部に取り付けられている対物レンズはこの穴７６ａの中に見え、かつ対物レンズの周りに配列された複数個の発光ダイオードはこの穴７６ａの中に見えない大きさを有する。円筒部７１の側面の、中心軸に関して羽部７３と反対側に突起７７が設けられている。円筒部７１の中心軸方向の突起７７の一端は仕切り板７６の上面と同一の高さの位置に設けられている。突起７７の他端は円筒部７１の中心軸方向の途中の位置に位置する。円筒部７１の中心軸に平行な、突起７７の中心軸上にこの突起７７を貫通する貫通孔（図示せず）が設けられており、この貫通孔の内周面にめねじが形成されている。そして、このめねじに固定ねじ（図示せず）がねじ込まれ、その先端で顕微鏡本体２０の側面を押圧することで円筒部７１、従って位置決め部材７０が顕微鏡本体２０に対して固定されている。位置決め部材７０の材質は必要に応じて選ばれるが、例えば、プラスチック、アルミニウム合金や鉄鋼材料などの金属、あるいはこれらの材料の組み合わせ、あるいはこれらの材料と他の材料、例えばゴムなどとの組み合わせであってもよい。例えば、指押圧板７２の先端部以外の部分をプラスチックで形成し、指押圧板７２の先端部をゴム、特に硬質ゴムで形成してもよく、こうすることで甘皮や爪を傷つけるおそれがなくなる。
【００２４】
図９Ａ、ＢおよびＣは、顕微鏡本体２０の先端部に取り付けられた位置決め部材７０の羽部７３の両端部がＬ字部材６０の垂直部６２、６３の案内溝６２ａ、６３ａに嵌められる前および後の状態を示す。
【００２５】
［指先毛細血管血流観察顕微鏡の使用方法］
この指先毛細血管血流観察顕微鏡を用いて被験者の手の指先の毛細血管の血流を観察する方法について説明する。
【００２６】
図１０は指先の毛細血管の血流を観察する場所を示す。図１０に示すように、指の爪の甘皮に隣接する爪根部の表皮が観察場所となる。
【００２７】
まず、この指先毛細血管血流観察顕微鏡を机の上に置く。被験者はこの机の前に置かれた椅子に座る。このとき、指先毛細血管血流観察顕微鏡の指置き台５０が被験者側に来るようにする。
【００２８】
図１１に示すように、顕微鏡本体２０の先端部に取り付けられた位置決め部材７０の指押圧板７２の先端（下端）とＬ字部材６０の水平部６１の指置き台６１ｆとの間に被験者の手の指が入る程度の隙間を形成しておく。この状態で、被験者が手の指、例えば左手の薬指の中節骨から基節に掛けての部分を指置き台５０の溝５１の中に置き、この指の先端の末節骨の部分はＬ字部材６０の指置き台６１ｆの上に置く。次に、毛細血管の血流を観察しようとする左手の薬指の爪の甘皮の直ぐ後方の部分に少量のオイルを塗る。オイルを塗るのは、爪根部の表皮での照明光の反射を抑え、毛細血管の血流を観察しやすくするためである。
【００２９】
次に、昇降具３０のズームリング３３を回すことにより顕微鏡本体２０を下降させ、顕微鏡本体２０の先端部に取り付けられた位置決め部材７０の指押圧板７２の先端で指の爪の甘皮の近傍を軽く押圧する。この状態で指を少し前に移動させ、指押圧板７２の先端が甘皮に引っ掛かるようにする。次に、顕微鏡本体２０を少し下降させ、指押圧板７２により指の爪の甘皮の近傍を押圧する。この時点で顕微鏡本体２０の高さを固定する。このとき、指置き台５０および指置き台６１ｆ上の指は基台１０に平行な方向および基台１０に垂直な方向に拘束される。この状態を図１２Ａ、ＢおよびＣならびに図１３に示す。
【００３０】
次に、顕微鏡本体２０の上部に設けられた焦点合わせ用の回転つまみ２１を時計方向または反時計方向に回転させることにより、顕微鏡本体２０の対物レンズの焦点を爪の甘皮の近傍の爪根部の表皮に合わせる。こうして焦点合わせを行った後、顕微鏡本体２０により爪根部の表皮を介して指先の毛細血管の血流を観察する。こうして観察される画像は撮像素子により撮像され、その画像がケーブルを介してコンピュータのディスプレイやスマートフォンのディスプレイに送られ、これらのディスプレイに表示される。こうして、ディスプレイ上で指先の毛細血管の血流を観察することができる。
【００３１】
以上のように、この第１の実施の形態によれば、被験者が毛細血管の血流を観察しようとする手の指を指置き台５０および指置き台６１ｆに置き、指押圧板７２の先端を指の爪の甘皮に引っ掛け、爪を押圧することにより、指を基台１０に平行な方向および垂直な方向に拘束した状態で顕微鏡本体２０のピントを指の爪の甘皮に隣接する爪根部の表皮に合わせるだけで毛細血管の血流を簡単にしかも鮮明に観察することができる。
【００３２】
〈第２の実施の形態〉
［指先毛細血管血流観察顕微鏡］
図１４〜図１６は第２の実施の形態による指先毛細血管血流観察顕微鏡を示し、図１４は斜視図、図１５は正面図、図１６は平面図である。
【００３３】
図１４〜図１６に示すように、この指先毛細血管血流観察顕微鏡は、昇降具３０および保持用アーム４０の構成が第１の実施の形態による指先毛細血管血流観察顕微鏡と異なることを除いて、第１の実施の形態による指先毛細血管血流観察顕微鏡と同様な構成を有する。
【００３４】
すなわち、図１４〜図１６に示すように、昇降具３０は、基台１０に垂直に立設された円柱状の支柱３５と、この支柱３５の位置決め部材７０に面する側面にこの支柱３５の中心軸の方向に設けられたラック３６とを有する。ラック３６の各歯は基台１０に平行である。この場合、保持用アーム４０は第１の実施の形態と異なり、一端部が丸まった細長い平板状の形状を有し、その丸まった一端部に軸３５の外径よりごく僅か大きい内径を有する貫通孔４０ａが設けられており、この貫通孔４０ａに支柱３５がこの貫通孔４０ａに対して移動可能に挿通されている。保持用アーム４０の他端部には、顕微鏡本体２０の外径よりごく僅か大きい内径を有する貫通孔４０ｂが設けられており、この貫通孔４０ｂに顕微鏡本体２０が挿通されている。この保持用アーム４０の他端にはこの保持用アーム４０の中心軸上に貫通孔４０ｂに達する貫通孔（図示せず）が形成されており、この貫通孔の内周面にめねじが切られている。そして、保持用アーム４０のこのめねじに固定ねじ４３と同様なおねじがねじ込まれることで顕微鏡本体２０が保持用アーム４０に対して固定されている。保持用アーム４０の、ラック３６に隣接した部分の内部は空洞（図示せず）になっており、この空洞にラック３６と噛み合うピニオン３７が設けられている。このピニオン３７には、基台１０に平行かつＬ字部材６０の垂直部６２、６３に対して平行に設けられた軸３８が挿通され、かつ固定されている。この軸３８は、保持用アーム４０を基台１０に平行かつＬ字部材６０の垂直部６２、６３に対して平行な方向に貫通する貫通孔（図示せず）に挿通されている。この軸３８の両端には、外周面に滑り止め用の凹凸が設けられた焦点合わせ用の平たい円柱状の回転つまみ３９ａ、３９ｂがラック３６およびピニオン３７に関して左右対称に設けられている。そして、この回転つまみ３９ａ、３９ｂの一方を手の指で掴んで時計方向または反時計方向に回転させてピニオン３７を回転させることによりラック３６に対して保持用アーム４０を移動させ、それによって保持用アーム４０、ひいては顕微鏡本体２０を昇降させることができるようになっている。
【００３５】
［指先毛細血管血流観察顕微鏡の使用方法］
この指先毛細血管血流観察顕微鏡を用いて被験者の手の指先の毛細血管の血流を観察する方法は、顕微鏡本体２０の昇降を回転つまみ３９ａ、３９ｂの一方を手の指で掴んで時計方向または反時計方向に回転させることによりラック３６に対して保持用アーム４０を移動させることを除いて、第１の実施の形態と同様である。
【００３６】
この第２の実施の形態によれば、第１の実施の形態と同様な利点を得ることができる。
【００３７】
以上、この発明の実施の形態について具体的に説明したが、この発明は上述の実施の形態に限定されるものではなく、この発明の技術的思想に基づく各種の変形が可能である。
【００３８】
例えば、上述の実施の形態において挙げた数値、構成、形状、材料、方法などはあくまでも例に過ぎず、必要に応じてこれらと異なる数値、構成、形状、材料、方法などを用いてもよい。
【００３９】
具体的には、例えば、上述の第１の実施の形態および第２の実施の形態においては、指押圧板７２と羽部７３とを別々に形成して一体化しているが、指押圧板７２と羽部７３とを一体に形成してもよい。
【符号の説明】
【００４０】
１０…基台、２０…顕微鏡本体、３０…昇降具、３５…支柱、３６…ラック、３７…ピニオン、４０…保持用アーム、５０…指置き台、６０…Ｌ字部材、６１…水平部、６１ｆ…指置き台、６２、６３…垂直部、６２ａ、６２ｂ、６３ａ、６３ｂ…案内溝、７０…位置決め部材、７１…円筒部、７２…指押圧板、７３…羽部
【図１】
2020204746.tif 000003
【図２】
2020204746.tif 000004
【図３】
2020204746.tif 000005
【図４】
2020204746.tif 000006
【図５】
2020204746.tif 000007
【図６】
2020204746.tif 000008
【図７】
2020204746.tif 000009
【図８】
2020204746.tif 000010
【図９】
2020204746.tif 000011
【図１０】
2020204746.tif 000012
【図１１】
2020204746.tif 000013
【図１２】
2020204746.tif 000014
【図１３】
2020204746.tif 000015
【図１４】
2020204746.tif 000016
【図１５】
2020204746.tif 000017
【図１６】
2020204746.tif 000018
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
基台と、
上記基台上に上記基台に対して昇降自在に取り付けられた顕微鏡本体と、
上記基台上に着脱自在に取り付けられ、または、上記基台に固定された、被験者の手の指を当該指に垂直でかつ上記基台に平行な方向に拘束された状態で置く指置き台と、
上記顕微鏡本体の先端部に着脱自在に取り付けられ、または、上記先端部に固定された、上記指の爪の甘皮の近傍を押圧する指押圧板と、
を有し、
上記基台上に、上記顕微鏡本体の昇降に伴う上記指押圧板の昇降の際に上記指押圧板を案内する案内部材が着脱自在に取り付けられ、または、固定されている指先毛細血管血流観察顕微鏡。
【請求項２】
上記指置き台は、主として上記指の中節骨および基節骨の部分を置く第１指置き台および上記指の末節骨の部分を置く第２指置き台からなる請求項１記載の指先毛細血管血流観察顕微鏡。
【請求項３】
上記第１指置き台の指を置く部分の最下点が上記第２指置き台の指を置く部分の最下点より２ｍｍ以上４ｍｍ以下高い請求項２記載の指先毛細血管血流観察顕微鏡。
【請求項４】
上記第２指置き台と上記案内部材とは一体に構成されている請求項２記載の指先毛細血管血流観察顕微鏡。
【請求項５】
上記指押圧板は、上記顕微鏡本体の先端に着脱自在に取り付けられ、または、上記顕微鏡本体の先端に固定された位置決め部材に設けられている請求項１〜４のいずれか一項記載の指先毛細血管血流観察顕微鏡。
【請求項６】
基台と、
上記基台上に上記基台に対して昇降自在に取り付けられた顕微鏡本体と、
上記基台上に着脱自在に取り付けられ、または、上記基台に固定された、被験者の手の指を当該指に垂直でかつ上記基台に平行な方向に拘束された状態で置く指置き台と、
上記顕微鏡本体の先端部に着脱自在に取り付けられ、または、上記先端部に固定された、上記指の爪の甘皮の近傍を押圧する指押圧板と、
を有し、
上記指押圧板の先端が上記指の爪の甘皮に引っ掛った状態において、上記顕微鏡本体の光軸が上記指の爪の甘皮に隣接する爪根部に合うように構成されている指先毛細血管血流観察顕微鏡。
【請求項７】
上記指押圧板と上記顕微鏡本体の光軸との間の距離が１．０ｍｍ以上２．０ｍｍ以下である請求項６記載の指先毛細血管血流観察顕微鏡。
【請求項８】
基台と、
上記基台上に上記基台に対して昇降自在に取り付けられた顕微鏡本体と、
上記基台上に着脱自在に取り付けられ、または、上記基台に固定された、被験者の手の指を当該指に垂直でかつ上記基台に平行な方向に拘束された状態で置く指置き台と、
上記顕微鏡本体の先端部に着脱自在に取り付けられ、または、上記先端部に固定された、上記指の爪の甘皮の近傍を押圧する指押圧板と、
を有し、
上記指押圧板は、上記顕微鏡本体の先端に着脱自在に取り付けられ、または、上記顕微鏡本体の先端に固定された位置決め部材に設けられ、
上記位置決め部材は上記顕微鏡本体の先端に嵌められる円筒部ならびにこの円筒部の側面にこの円筒部の中心軸に平行に設けられた上記指押圧板および羽部を有する指先毛細血管血流観察顕微鏡。
【請求項９】
上記位置決め部材の上記円筒部の上記基台側の部分の内部に上記円筒部の中心軸上に円形の穴を有する透明な仕切り板が設けられている請求項８記載の指先毛細血管血流観察顕微鏡。
【請求項１０】
上記仕切り板は照明光源からの照明光を散乱する散乱体を含有する請求項９記載の指先毛細血管血流観察顕微鏡。